(57)【要約】【課題】利用者が注目する所望の経路を登録経路として記憶しておき、登録経路の周辺で開催されるイベントを抽出し、該イベントの参加者の移動による混雑に遭遇するかを報知できるようにする。【解決手段】ナビゲーションシステム１０は、イベント情報を蓄積したイベントデータベース３６と、所望の案内経路データを登録経路として記憶する登録経路記憶手段２４と、経路比較手段２３と、を備え、経路探索手段３３は、登録経路記憶手段２４に記憶された登録経路に基づいてイベントデータベース３６を参照して該登録経路の周辺で開催されるイベントを抽出し、該イベントの終了時刻を出発時刻としてイベント参加者が交通機関を利用して移動し得る比較経路を探索し、経路比較手段２３は、登録経路と比較経路を比較して両経路の一致度を判別し、一致度が所定の範囲内である場合、登録経路が混雑する旨を予め設定された報知先に報知する。【選択図】図２
2008102046.tif 000002
【特許請求の範囲】
【請求項１】
経路探索用のネットワークデータを参照して出発地から目的地まで、交通機関を利用した経路を含む案内経路を探索する経路探索手段と、前記経路探索手段が探索した案内経路データを記憶する案内経路記憶手段と、前記案内経路を表示する表示手段と、を備えたナビゲーションシステムにおいて、
前記ナビゲーションシステムは、イベントの開催場所および開催時間を含むイベント情報を蓄積したイベントデータベースと、所望の案内経路データを登録経路として記憶する登録経路記憶手段と、経路比較手段と、を備え、
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して移動し得る比較経路を探索し、
前記経路比較手段は、前記登録経路と前記比較経路を比較して両経路の一致度を判別し、一致度が所定の範囲内である場合、前記登録経路が混雑する旨を予め設定された報知先に報知することを特徴とするナビゲーションシステム。
【請求項２】
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項１に記載のナビゲーションシステム。
【請求項３】
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする請求項１に記載のナビゲーションシステム。
【請求項４】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする請求項１に記載のナビゲーションシステム。
【請求項５】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項２に記載のナビゲーションシステム。
【請求項６】
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする請求項１に記載のナビゲーションシステム。
【請求項７】
前記経路探索手段は、前記代替経路を探索する際、前記登録経路の周辺で開催されるイベントを抽出し、該イベントの終了時刻を出発時刻としてイベント参加者が交通機関を利用して移動し得る比較経路を探索し、該イベントの終了時刻にイベント参加者がイベント会場を出発して最寄り駅で乗車可能な電車が前記比較経路に含まれる場合、該最寄り駅で乗車可能な電車を前記経路探索用ネットワークデータベースから一時削除して、前記代替経路探索を行うことを特徴とする請求項３に記載のナビゲーションシステム。
【請求項８】
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする請求項７に記載のナビゲーションシステム。
【請求項９】
イベントの開催場所および開催時間を含むイベント情報を蓄積したイベントデータベースと、経路探索用のネットワークデータを参照して出発地から目的地まで、交通機関を利用した経路を含む案内経路を探索する経路探索手段を備え、所望の案内経路データを登録経路として記憶する登録経路記憶手段を備えた端末装置から、該登録経路に基づく比較経路の探索が要求されると、前記イベントデータベースを参照して登録経路の周辺で開催されるイベントを抽出し、該イベントの終了時刻を出発時刻としてイベント参加者が交通機関を利用して移動し得る比較経路を探索して前記端末装置に送信する経路探索サーバに、ネットワークを介して接続される端末装置であって、
前記端末装置は、経路比較手段を備え、前記経路比較手段は、前記経路探索サーバから受信した比較経路と前記登録経路とを比較して両経路の一致度を判別し、一致度が所定の範囲内である場合、登録経路が混雑する旨を報知することを特徴とする端末装置。
【請求項１０】
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項９に記載の端末装置。
【請求項１１】
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする請求項９に記載の端末装置。
【請求項１２】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする請求項９に記載の端末装置。
【請求項１３】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項１０に記載の端末装置。
【請求項１４】
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする請求項９に記載の端末装置。
【請求項１５】
経路探索用のネットワークデータを参照して出発地から目的地まで、交通機関を利用した経路を含む案内経路を探索する経路探索手段を備え、探索した案内経路データを端末装置に送信する経路探索サーバにおいて、
前記経路探索サーバは、前記端末装置から指定された所望の案内経路データを登録経路として記憶する登録経路記憶手段と、経路比較手段と、を備え、
前記端末装置から該登録経路に基づく比較経路の探索が要求されると、前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して移動し得る比較経路を探索し、
前記経路比較手段は、前記登録経路と前記比較経路を比較して両経路の一致度を判別し、一致度が所定の範囲内である場合、前記登録経路が混雑する旨を前記端末装置が指定した報知先に報知することを特徴とする経路探索サーバ。
【請求項１６】
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項１５に記載の経路探索サーバ。
【請求項１７】
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする請求項１５に記載の経路探索サーバ。
【請求項１８】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする請求項１５に記載の経路探索サーバ。
【請求項１９】
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項１６に記載の経路探索サーバ。
【請求項２０】
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする請求項１５に記載の経路探索サーバ。
【請求項２１】
前記経路探索手段は、前記代替経路を探索する際、前記登録経路の周辺で開催されるイベントを抽出し、該イベントの終了時刻を出発時刻としてイベント参加者が交通機関を利用して移動し得る比較経路を探索し、該イベントの終了時刻にイベント参加者がイベント会場を出発して最寄り駅で乗車可能な電車が前記比較経路に含まれる場合、該最寄り駅で乗車可能な電車を前記経路探索用ネットワークデータベースから一時削除して、前記代替経路探索を行うことを特徴とする請求項１７に記載の経路探索サーバ。
【請求項２２】
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする請求項２１に記載の経路探索サーバ。
【発明の詳細な説明】
【技術分野】
【０００１】
本発明は、所望の出発地から目的地まで、公共交通機関を用いた経路を含む案内経路を探索するナビゲーションシステムに関するものであり、特に、多数の人々が参加するイベントの開催期日と、該イベントの終了時刻に関するデータを蓄積したイベントデータベースを備え、所望の経路を登録経路として記憶しておき、登録経路の周辺で開催されるイベントを抽出し、該イベントの終了時刻を出発時刻としてイベント参加者が交通機関を利用して移動し得る比較経路を探索して、登録経路と比較経路の一致度が高く、イベント参加者による混雑が予測される場合に、混雑予想を報知し、混雑を回避する行動を採ることができるようにしたナビゲーションシステムに関するものである。
【背景技術】
【０００２】
従来から、地図データ、道路データを用いて、所望の出発地から目的地までの経路を探索して利用者を案内するナビゲーション装置、ナビゲーションシステムが知られており、このようなナビゲーション装置、ナビゲーションシステムとしては、自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。
【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、徒歩経路の探索と案内に加えて、経路探索サーバに交通機関の路線や運行時刻データを蓄積し、所望の出発駅から所望の目的駅までの経路（乗車候補列車）を、徒歩経路の探索と案内に加えて案内する機能を有するナビゲーションシステムも存在する。また、徒歩経路の経路探索を伴わずに情報配信サーバから交通機関の路線や時刻表、乗車可能な列車などの情報の配信を受けて表示する交通案内システムも存在する。
【０００４】
一般的なナビゲーション装置、通信ナビゲーションシステムに使用される経路探索装置、経路探索方法は、例えば、下記の特許文献１（特開２００１−１６５６８１号公報）に開示されている。このナビゲーションシステムは、携帯ナビゲーション端末から出発地と目的地の情報を情報配信サーバに送り、情報配信サーバで道路網や交通網のデータから探索条件に合致した経路を探索して案内するように構成されている。探索条件としては、出発地から目的地までの移動手段、例えば、徒歩、自動車、鉄道と徒歩の併用などがあり、これを探索条件の１つとして経路探索する。
【０００５】
情報配信サーバは、地図データの道路（経路）をその結節点、屈曲点の位置をノードとし、各ノードを結ぶ経路をリンクとし、全てのリンクのコスト情報（距離や所要時間）をデータベースとして備えている。そして、情報配信サーバは、データベースを参照して、出発地のノードから目的地のノードに至るリンクを順次探索し、リンクのコスト情報が最小となるノード、リンクをたどって案内経路とすることによって最短の経路を携帯ナビゲーション端末に案内することができる。このような経路探索の手法としてはラベル確定法あるいはダイクストラ法と言われる手法が用いられる。上記特許文献１には、このダイクストラ法を用いた経路探索方法も開示されている。
【０００６】
交通機関を利用する経路を探索する経路探索システムは、ユーザが指定する出発日時、出発地、目的地、到着時刻等の経路探索条件に基づいて、各交通機関の運行時刻データをデータベース化した運行時刻データベースと、これに基づいて交通ネットワークをデータベース化したデータを備えている。そして、これらのデータベースを参照して、乗り継ぎ（乗り換え）を含めて出発地と目的地を結ぶ、利用可能な各交通手段（個々の電車や路線バス）を経路として順次たどり、経路探索条件に合致する案内経路（出発地駅、目的地駅、路線、列車などの交通手段）の候補を１つまたは複数提示するように構成される。経路探索条件としては更に、所要時間、乗り継ぎ回数、運賃などの条件を指定できるようにされているのが一般的である。
【０００７】
また、交通機関に関する検索、案内を行うシステムとして、携帯電話などの端末装置から交通機関の路線情報や時刻表情報を案内する情報配信サーバに接続して所望の出発駅、出発時刻、目的駅などを指定して、乗車可能な路線や列車、電車などの交通手段の情報配信を受け、端末装置に表示することができる案内システムも提供されている。一般に端末装置からこのような利用を行う場合には、ダウンロードしたい情報の存在する場所を特定するためのＵＲＬ（Uniform Resource Locator）やドメイン名などのアドレス情報を端末装置に入力して当該アドレスにより特定される情報配信サーバ（情報サイト）にアクセスして所望の情報をダウンロードする構成がとられている。
【０００８】
交通機関を利用した経路探索、経路案内をするナビゲーションシステムなどにおける経路経探索用のデータは、車載用ナビゲーションシステムや歩行者用ナビゲーションシステムにおける道路ネットワークのデータと同様に交通路線の各駅をノードとし、駅間を双方向リンクとしてネットワーク化したデータの他に、各交通路線上を運行される交通手段ごとに各リンクの運行時刻、所要時間がリンクコストのデータとして加えられる。更に、運賃データが加えられ、探索した案内経路の運賃が合わせて案内されるシステムも存在する。
【０００９】
従って端末装置に配信される案内経路データには、利用者が指定した経路探索条件である出発地から目的地までの路線経路や乗車を案内するバス、電車、列車およびその時刻が含まれ、運行時刻表や駅に掲示されるいわゆる駅貼り時刻表などがそのままあるいは必要部分が画面表示できる表示データなどの形式に加工されて端末装置に配信される。端末装置では案内経路のデータや運行時刻表あるいは駅貼り時刻表を表示して経路や乗車すべき交通手段を確認することができる。
【００１０】
車載用のナビゲーション装置においては道路交通情報を用いて、渋滞している道路を回避したり、迂回したりする経路を探索して案内するナビゲーション装置が種々提案されている。交通機関を利用した経路を移動する場合、自動車による移動のように渋滞の影響を受けず予定通りの時間で移動できるが、乗車する電車が混雑していて不快感を受ける場合もあり混雑した電車は避けたいという心理が働く。従って、利用者にとって案内された電車の混雑度が関心事になる。このような利用者の要求に応えるため、下記の特許文献２（特開平５−２５４４４０号公報）に開示された乗車率表示装置が知られている。
【００１１】
特許文献２に開示された乗車率表示装置は、乗車率監視器で抽出された、到着駅に到着する前の列車の車両単位の乗車率と、降車率検出器で検出された到着駅での曜日，時刻などに応じたデータに基づく列車到着時の車両単位の降車率とから、乗車直前の乗車率を乗車直前乗車率計算器が計算するようにしたものである。この乗車率表示装置は駅のホーム上に車両単位で設置されたビデオカメラからの画像より、乗客数を検出し、この乗客数の各車両の乗車定員に対する比率と、前述の乗車直前乗車率とから出発時乗車率を出発時乗車率計算器で計算し、計算結果に基づいて、乗車率表示器は車両単位で乗車直前乗車率と出発時乗車率を表示する。
【００１２】
【特許文献１】特開２００１−１６５６８１号公報（図１、図２）
【特許文献２】特開平５−２５４４４０号公報（図１）
【発明の開示】
【発明が解決しようとする課題】
【００１３】
上記特許文献２に開示された乗車率表示装置の技術によれば、駅で乗車を待っている乗客に対して、混雑度の低い空いた車両を案内することができるようになる。しかしながら、この乗車率表示装置はナビゲーションシステム機能を有するものではなく、所望の２地点間の経路を探索して得た案内経路において乗車すべき電車の混雑度を案内することはできないという問題点があった。
【００１４】
交通機関の混雑の原因は種々あるが、利用する経路の周辺で多くの人が集まる大規模なイベントが開催される場合、そのイベントの終了時にはイベントに参加して帰宅する人々により交通機関が混雑することになる。このようなイベントの開催に基づく交通機関の混雑は、イベントの開催場所、開催時間や終了時刻がわかれば予測することが可能であり、交通機関を用いた経路探索のサービスを受けているナビゲーションシステムの利用者に案内することができる。
【００１５】
しかしながら、上記特許文献２に開示された乗車率表示装置では、リアルタイムにホームに設置したカメラなどの監視機器により各電車の車両ごとの乗車人数や降車人数を計数して過去の曜日ごと、時間ごとの乗車率に基づいて車両ごとの乗車率を推定するものであるから、イベントの終了に基づいて生じる混雑度を推定することができないという問題点があった。
【００１６】
本願の発明者は上記の問題点を解消すべく種々検討を重ねた結果、ナビゲーションシステムに多数の人が参加するイベントの開催場所、開催時間などのイベント情報を記憶したイベントデータベースを備え、所望の経路を登録経路として記憶しておき、登録経路の周辺で開催されるイベントを抽出し、該イベントの終了時刻を出発時刻としてイベント参加者が交通機関を利用して移動し得る比較経路を探索して、登録経路と比較経路の一致度が高い場合には、比較経路による混雑の影響があると判別しれば、上記問題点を解消し得ることに想到して本発明を完成するに至ったものである。
【００１７】
すなわち、本発明は上記の問題点を解消することを課題とし、イベントの開催場所、開催時間などのイベント情報を記憶したイベントデータベースを備え、利用者が経路探索の結果得られた所望の経路を登録経路として記憶しておき、登録した経路の周辺のイベントを検索し、該イベントの終了に基づいて生じる混雑を推定して利用者に予め報知できるようにしたナビゲーションシステムを提供することを目的とするものである。
【課題を解決するための手段】
【００１８】
前記課題を解決するために、本願の請求項１にかかる発明は、
経路探索用のネットワークデータを参照して出発地から目的地まで、交通機関を利用した経路を含む案内経路を探索する経路探索手段と、前記経路探索手段が探索した案内経路データを記憶する案内経路記憶手段と、前記案内経路を表示する表示手段と、を備えたナビゲーションシステムにおいて、
前記ナビゲーションシステムは、イベントの開催場所および開催時間を含むイベント情報を蓄積したイベントデータベースと、所望の案内経路データを登録経路として記憶する登録経路記憶手段と、経路比較手段と、を備え、
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して移動し得る比較経路を探索し、
前記経路比較手段は、前記登録経路と前記比較経路を比較して両経路の一致度を判別し、一致度が所定の範囲内である場合、前記登録経路が混雑する旨を予め設定された報知先に報知することを特徴とする。
【００１９】
本願の請求項２にかかる発明は、請求項１にかかるナビゲーションシステムにおいて、
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【００２０】
本願の請求項３にかかる発明は、請求項１にかかるナビゲーションシステムにおいて、
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする。
【００２１】
本願の請求項４にかかる発明は、請求項１にかかるナビゲーションシステムにおいて、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする。
【００２２】
本願の請求項５にかかる発明は、請求項２にかかるナビゲーションシステムにおいて、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【００２３】
本願の請求項６にかかる発明は、請求項１にかかるナビゲーションシステムにおいて、
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする。
【００２４】
本願の請求項７にかかる発明は、請求項３にかかるナビゲーションシステムにおいて、
前記経路探索手段は、前記代替経路を探索する際、前記登録経路の周辺で開催されるイベントを抽出し、該イベントの終了時刻を出発時刻としてイベント参加者が交通機関を利用して移動し得る比較経路を探索し、該イベントの終了時刻にイベント参加者がイベント会場を出発して最寄り駅で乗車可能な電車が前記比較経路に含まれる場合、該最寄り駅で乗車可能な電車を前記経路探索用ネットワークデータベースから一時削除して、前記代替経路探索を行うことを特徴とする。
【００２５】
本願の請求項８にかかる発明は、請求項７にかかるナビゲーションシステムにおいて、
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする。
【００２６】
また、本願の請求項９にかかる発明は、
イベントの開催場所および開催時間を含むイベント情報を蓄積したイベントデータベースと、経路探索用のネットワークデータを参照して出発地から目的地まで、交通機関を利用した経路を含む案内経路を探索する経路探索手段を備え、所望の案内経路データを登録経路として記憶する登録経路記憶手段を備えた端末装置から、該登録経路に基づく比較経路の探索が要求されると、前記イベントデータベースを参照して登録経路の周辺で開催されるイベントを抽出し、該イベントの終了時刻を出発時刻としてイベント参加者が交通機関を利用して移動し得る比較経路を探索して前記端末装置に送信する経路探索サーバに、ネットワークを介して接続される端末装置であって、
前記端末装置は、経路比較手段を備え、前記経路比較手段は、前記経路探索サーバから受信した比較経路と前記登録経路とを比較して両経路の一致度を判別し、一致度が所定の範囲内である場合、登録経路が混雑する旨を報知することを特徴とする。
【００２７】
本願の請求項１０にかかる発明は、請求項９にかかる端末装置において、
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【００２８】
本願の請求項１１にかかる発明は、請求項９にかかる端末装置において、
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする。
【００２９】
本願の請求項１２にかかる発明は、請求項９にかかる端末装置において、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする。
【００３０】
本願の請求項１３にかかる発明は、請求項１０にかかる端末装置において、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【００３１】
本願の請求項１４にかかる発明は、請求項９にかかる端末装置において、
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする請求項９に記載の端末装置。
【００３２】
また、本願の請求項１５にかかる発明は、
経路探索用のネットワークデータを参照して出発地から目的地まで、交通機関を利用した経路を含む案内経路を探索する経路探索手段を備え、探索した案内経路データを端末装置に送信する経路探索サーバにおいて、
前記経路探索サーバは、前記端末装置から指定された所望の案内経路データを登録経路として記憶する登録経路記憶手段と、経路比較手段と、を備え、
前記端末装置から該登録経路に基づく比較経路の探索が要求されると、前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して移動し得る比較経路を探索し、
前記経路比較手段は、前記登録経路と前記比較経路を比較して両経路の一致度を判別し、一致度が所定の範囲内である場合、前記登録経路が混雑する旨を前記端末装置が指定した報知先に報知することを特徴とする。
【００３３】
本願の請求項１６にかかる発明は、請求項１５にかかる経路探索サーバにおいて、
前記経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【００３４】
本願の請求項１７にかかる発明は、請求項１５にかかる経路探索サーバにおいて、
前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し、該代替経路を報知することを特徴とする。
【００３５】
本願の請求項１８にかかる発明は、請求項１５にかかる経路探索サーバにおいて、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知することを特徴とする。
【００３６】
請求項１９にかかる発明は、請求項１６にかかる経路探索サーバにおいて、
前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【００３７】
請求項２０にかかる発明は、請求項１５にかかる経路探索サーバにおいて、
前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、
前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知することを特徴とする請求項１５に記載の経路探索サーバ。
【００３８】
請求項２１にかかる発明は、請求項１７にかかる経路探索サーバにおいて、
前記経路探索手段は、前記代替経路を探索する際、前記登録経路の周辺で開催されるイベントを抽出し、該イベントの終了時刻を出発時刻としてイベント参加者が交通機関を利用して移動し得る比較経路を探索し、該イベントの終了時刻にイベント参加者がイベント会場を出発して最寄り駅で乗車可能な電車が前記比較経路に含まれる場合、該最寄り駅で乗車可能な電車を前記経路探索用ネットワークデータベースから一時削除して、前記代替経路探索を行うことを特徴とする。
【００３９】
請求項２２にかかる発明は、請求項２１にかかる経路探索サーバにおいて、
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする。
【発明の効果】
【００４０】
請求項１にかかる発明においては、
ナビゲーションシステムは、イベントの開催場所および開催時間を含むイベント情報を蓄積したイベントデータベースと、所望の案内経路データを登録経路として記憶する登録経路記憶手段と、経路比較手段と、を備え、経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して移動し得る比較経路を探索し、経路比較手段は、前記登録経路と前記比較経路を比較して両経路の一致度を判別し、一致度が所定の範囲内である場合、前記登録経路が混雑する旨を予め設定された報知先に報知する。
【００４１】
このような構成によれば、通勤経路など予め登録した登録経路の周辺でイベントが開催される場合、イベントへの参加を終えて離散する群衆が交通機関を利用して移動可能な比較経路と登録経路との一致度、すなわち、登録経路の目的駅への到着時刻とその駅への比較経路の到着時刻が重なる場合には比較経路で移動する人（イベント参加者）による混雑に遭遇することになるから、予め混雑に遭遇することを報知することで混雑を回避することができるようになる。
【００４２】
請求項２にかかる発明においては、請求項１にかかるナビゲーションシステムにおいて、経路比較手段は、前記登録経路と前記比較経路を比較して両経路の一致度を判別し、一致度が所定の範囲内である場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知する。
【００４３】
このような構成によれば、通勤経路など予め登録した登録経路の周辺でイベントが開催される場合、イベントへの参加を終えて離散する群衆が交通機関を利用して移動することによる混雑を回避するために、登録経路の出発駅を早めに出発して混雑を回避し、あるいは、出発駅を遅めに出発して混雑が緩和した後に移動して混雑を回避することができるようになる。
【００４４】
請求項３にかかる発明においては、請求項１にかかるナビゲーションシステムにおいて、前記経路比較手段は、前記登録経路と前記比較経路を比較して両経路の一致度を判別し、一致度が所定の範囲内である場合、前記経路探索手段は、前記比較経路を除いて前記登録経路の出発駅から目的駅までの代替経路を探索し報知する。
【００４５】
このような構成によれば、ナビゲーションシステムにおいて混雑を回避する代替経路が探索され、案内されるから、利用者は、通勤経路など予め登録した登録経路の周辺でイベントが開催される場合、イベントへの参加を終えて離散する群衆が交通機関を利用して移動することによる混雑を回避する代替経路を知ることができ、混雑を回避して目的駅に向かうことができるようになる。
【００４６】
請求項４にかかる発明においては、請求項１かかるナビゲーションシステムにおいて、前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記登録経路が混雑する旨を報知する
【００４７】
このような構成によれば、通勤経路など予め登録した登録経路の周辺でイベントが開催される場合、イベントへの参加を終えて離散する群衆が交通機関を利用して移動可能な比較経路と登録経路に重複する経路部分があり、登録経路の目的駅に群衆が到着する時刻より遅く利用者が到着する場合には、比較経路で移動する人（イベント参加者）による混雑に遭遇するから、予め混雑に遭遇することを報知することで混雑を回避することができるようになる。
【００４８】
請求項５にかかる発明においては、請求項２かかるナビゲーションシステムにおいて、前記経路比較手段は、前記登録経路と前記比較経路を比較し、両経路に重複する経路部分が含まれ、前記登録経路における目的駅への両経路の到着時刻を判別し、前記登録経路の目的駅への到着時刻が、比較経路の該目的駅への到着時刻より所定の時間範囲内だけ遅い場合、前記一致度が所定の範囲内であると判別し、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知する。
【００４９】
このような構成によれば、通勤経路など予め登録した登録経路の周辺でイベントが開催される場合、イベントへの参加を終えて離散する群衆が交通機関を利用して移動可能な比較経路と登録経路に重複する経路部分があり、登録経路の目的駅に群衆が到着する時刻より遅く利用者が到着する場合には、混雑を回避できる時間帯が報知されるから、登録経路の出発駅を早めに出発して混雑を回避し、あるいは、出発駅を遅めに出発して混雑が緩和した後に移動して混雑を回避することができるようになる。
【００５０】
請求項６にかかる発明においては、請求項１にかかるナビゲーションシステムにおいて、前記経路探索手段は、前記登録経路記憶手段に記憶された登録経路に基づいて前記イベントデータベースを参照して該登録経路の周辺で開催されるイベントを抽出し、該イベントの終了時刻を出発時刻としてイベント参加者が交通機関を利用して所定の時間で移動し得る比較経路の到達圏を探索し、前記経路比較手段は、前記比較経路の到達圏に基づいて、前記登録経路における乗車駅、乗換駅、降車駅への各到着時刻が、それぞれ前記比較経路の到達圏に含まれてから所定の時間内に含まれる場合は、前記一致度が所定の範囲内であると判別し、前記登録経路が混雑する旨を報知する。
【００５１】
このような構成によれば、通勤経路など予め登録した登録経路の周辺でイベントが開催される場合、イベントへの参加を終えて離散する群衆が交通機関を利用して移動可能な比較経路の到達圏がわかるから、イベントへの参加を終えて離散する群衆が登録経路の目的駅に到達する範囲（到達圏）に含まれてから一定の時間範囲の間は群衆による混雑に遭遇するから、予め混雑に遭遇することを報知することで混雑を回避することができるようになる。
【００５２】
請求項７にかかる発明においては、請求項３にかかるナビゲーションシステムにおいて、前記経路探索手段は、前記代替経路を探索する際、前記登録経路の周辺で開催されるイベントを抽出し、該イベントの終了時刻を出発時刻としてイベント参加者が交通機関を利用して移動し得る比較経路を探索し、該イベントの終了時刻にイベント参加者がイベント会場を出発して最寄り駅で乗車可能な電車が前記比較経路に含まれる場合、該最寄り駅で乗車可能な電車を前記経路探索用ネットワークデータベースから一時削除して、前記代替経路探索を行う。
【００５３】
このような構成によれば、ナビゲーションシステムは、該イベントの終了時刻にイベント参加者がイベント会場を出発して最寄り駅で乗車可能な電車が比較経路に含まれる場合、該最寄り駅で乗車可能な電車を経路探索用ネットワークデータベースから一時削除して代替経路を探索するから、探索処理が容易になる。
【００５４】
請求項８にかかる発明においては、請求項７にかかるナビゲーションシステムにおいて、経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲内の乗り継ぎ電車である。
【００５５】
このような構成によれば、代替経路の探索は、該イベントの終了時刻にイベント参加者がイベント会場を出発して拡散していく時間範囲内の電車を経路探索用ネットワークデータベースから一時削除して代替経路を探索するものであるから、混雑する時間帯を回避する代替経路を容易に探索できるようになる。
【００５６】
また、本願の請求項９ないし請求項１４にかかる発明においては、それぞれ請求項１ないし請求項６にかかるナビゲーションシステムを構成する端末装置を提供することができ、また、本願の請求項１５ないし請求項２２にかかる発明においては、それぞれ請求項１ないし請求項８にかかるナビゲーションシステムを構成する経路探索サーバを提供することができるようになる。
【発明を実施するための最良の形態】
【００５７】
以下、本発明の具体例を実施例及び図面を用いて詳細に説明する。但し、以下に示す実施例は、本発明の技術思想を具体化するためのナビゲーションシステムを例示するものであって、本発明をこのナビゲーションシステムに特定することを意図するものではなく、特許請求の範囲に含まれるその他の実施形態のナビゲーションシステムにも等しく適用し得るものである。
【実施例１】
【００５８】
図１は、本発明にかかる端末装置２０を含むナビゲーションシステム１０の構成を示すシステム構成図である。図１に示すようにナビゲーションシステム１０は、ネットワーク１２を介して接続される端末装置２０と経路探索サーバ３０を備えて構成されている。このナビゲーションシステム１０は、各種カテゴリに属するＰＯＩの所在地やサービス内容あるいは各種イベント会場で開催されるイベントの詳細情報などのＰＯＩ情報を提供するＰＯＩ情報配信サーバ５０、音楽や各種画像などのコンテンツその他の情報を提供する各種の情報配信サーバ５１などを備えて構成されている。
【００５９】
経路探索サーバ３０はＰＯＩ情報配信サーバ５０や他の情報配信サーバ５１からネットワーク１２を経由して必要なデータを取得して自身のデータベースに追加することができる。また、同様にしてＰＯＩ情報配信サーバ５０や他の情報配信サーバ５１に検索要求を送信して所望の検索結果を取得することもできる。
【００６０】
本発明にかかるナビゲーションシステム１０は、上記の構成に限られるものではなく、経路探索サーバ３０はナビゲーションサービス機能とともにＰＯＩ所在場所の地図を配信する地図配信サーバの機能を有していてもよい。また、端末装置２０も携帯電話を用いることができ、またＰＤＡや音楽プレイヤーなどの携帯機器、あるいは、パーソナルコンピュータ（ＰＣ）であってもよい。また、端末装置２０と経路探索サーバ３０とが一体になった車載用のナビゲーションシステムのようなスタンドアロンタイプのシステムであってもよい。
【００６１】
経路探索サーバ３０は、地図データベース３４、経路探索用ネットワークデータベース３５、イベントデータベース３６を備えている。イベントデータベース３６にはイベント開催場所の位置情報、開催時期などの詳細情報が蓄積される。端末装置２０は後述するように予め通勤経路など、経路探索サーバ３０から送信された経路を登録経路として記憶し、登録経路の周辺で開催されるイベント終了時の該イベント参加者による混雑の有無などの案内（以下、比較経路探索の要求という）を経路探索サーバ３０に要求することができる。
【００６２】
経路探索サーバ３０は端末装置２０から前記の登録経路に関連した案内要求（比較経路探索の要求）があると、イベントデータベース３６を参照して登録経路周辺のイベントを抽出し、該イベントの詳細情報に基づいてイベント終了時に帰宅するイベント参加者による比較経路を探索し、端末装置２０に送信する。
【００６３】
端末装置２０は後述するように経路比較手段を備えており、登録経路と比較経路の一致度を判別し、一致度が所定の範囲である場合、登録経路が混雑する旨を表示手段に報知する。一致度とは、例えば、登録経路と比較経路が重複し、かつ比較経路の目的駅到着時刻より遅い一定の時間内に登録経路の目的駅到着時刻が入る場合、一致度が高いと判別する。すなわち、この場合登録経路で目的駅に向かうとイベント終了後の帰宅者による混雑の影響を受けることになる。逆に登録経路による目的駅到着時刻が比較経路による目的駅到着時刻よりも早い時刻である場合、一致度は低いと判別する。この場合はイベント終了後の帰宅者の目的駅到着よりも登録経路の目的駅到着時刻が早いから混雑の影響を受けることがないことになる。
【００６４】
端末装置２０から経路探索サーバ３０に対する一般的な地図要求や経路探索要求があった場合のナビゲーションシステム１０の動作は、一般的なナビゲーションシステムの動作と同様である。すなわち、端末装置２０は現在位置や所望の地点を指定して経路探索サーバ３０に当該現在位置や所望の地点を中心とした所定の範囲の地図情報を要求し、経路探索サーバ３０から配信された地図情報に基づいて地図画像を表示手段に表示することができる。
【００６５】
また、端末装置２０は所望の興味対象場所（ＰＯＩ：Ｐｏｉｎｔ  ｏｆ  Ｉｎｔｅｒｅｓｔ）の検索を経路探索サーバ３０に要求し、経路探索サーバ３０から回答されたＰＯＩ検索結果から任意のＰＯＩを指定して当該任意のＰＯＩが存在する地点を含む地図情報を要求してその地図画像を表示手段に表示することもできる。
【００６６】
更に、端末装置２０は所望の出発地、目的地を指定して経路探索サーバ３０に出発地から目的地までの最適経路やいくつかの候補経路の探索を要求し、経路探索サーバ３０から、案内経路を含む地図情報を経路探索の結果として受信し、地図画像、案内経路画像を表示手段に表示することもできる。
【００６７】
地図や案内経路の表示にあたっては、端末装置２０においてＧＰＳ受信手段などの測位手段が測位した現在位置（緯度・経度）を現在位置マークとして地図画像に重ね合わせて表示し、現在位置を地図上で識別できるようにする。
【００６８】
図２は、図１のナビゲーションシステム１０の詳細な構成を示すブロック図である。本発明の実施例にかかるナビゲーションシステム１０は、図２のブロック図に示すようにインターネットなどのネットワーク１２を介して通信する端末装置２０と、経路探索サーバ３０とから構成されている。
【００６９】
端末装置２０は、制御手段２０１、ＧＰＳ受信手段２１、比較経路要求手段２２、経路比較手段２３、登録経路記憶手段２４、描画制御手段２５、通信手段２６、案内経路記憶手段２７、表示手段２８、操作入力手段２９を備えている。一方、経路探索サーバ３０は、制御手段３０１、比較経路配信手段３２、経路探索手段３３、地図データベース３４、経路探索用ネットワークデータベース３５、イベントデータベース３６を備えている。
【００７０】
制御手段２０１は、図示してはいないがＲＡＭ、ＲＯＭ、プロセッサを有するマイクロプロセッサであり、ＲＯＭに格納された制御プログラムにより各部の動作を制御する。通信手段２６はネットワーク１２を介して経路探索サーバ３０などと通信データを送受信するための通信インターフェースである。
【００７１】
ＧＰＳ手段２１はＧＰＳ衛星からの信号を受信して現在位置を緯度・経度で算出する。操作入力手段２９は、キー、ダイヤル等からなり、端末装置２０を操作するための入力、出発地、目的地などの入力機能として用いられる。表示手段２８は液晶表示パネル等からなり、経路探索サーバ３０から配信された案内経路、地図の表示に使用されるものである。また、表示手段２８はメニュー画面を表示し端末装置２０を操作するための入力手段としても機能する。
【００７２】
経路探索サーバ３０から送信される案内経路データは地図データとともに案内経路記憶手段２７に記憶され、案内経路データや地図データは必要に応じて案内経路記憶手段２７から読み出され、描画制御手段２５により描画され表示手段２８に表示される。
【００７３】
端末装置２０の利用者は、日常的に使用する通勤経路の周辺に野球場やサッカー場などのイベント会場があり、野球やサッカーを観戦した人々が帰宅する時間帯と重なり混雑した電車に乗車しなければならない場合がある。そこで本発明では、予めイベント終了に伴う混雑が予想できる場合にはその旨表示手段に報知したり、回避手段を報知するようにする。
【００７４】
本発明において、端末装置２０は、登録経路記憶手段２４に所望の経路を登録しておく。登録する経路はイベントによる混雑予想の報知や回避手段の報知を受けたい経路であり、既に経路探索サーバ３０を用いて探索した案内経路を登録する。例えば、経路探索サーバ３０を用いて探索した通勤経路を登録経路記憶手段２４に登録経路として記憶する。もちろん、ある日時に、所望の出発地から所望の目的地まで移動を予定している経路を、予め経路探索サーバ３０を用いて探索し、案内経路を受信して登録経路として登録経路記憶手段２４に記憶しておくこともできる。
【００７５】
比較経路要求手段２２は、登録経路記憶手段２４に記憶された登録経路に基づいて経路探索サーバ３０に比較経路の探索を要求する。経路探索サーバ３０は端末装置２０から比較経路探索要求を受信すると、後述するように登録経路周辺のイベントを抽出してその終了時刻にイベント会場を出発する人々が交通機関を利用して移動可能な経路を比較経路として探索し、端末装置２０に送信する。
【００７６】
端末装置２０は経路探索サーバ３０から比較経路を受信すると経路比較手段２３において、登録経路と比較経路を比較してその一致度を判別する。一致度とは、比較経路に登録経路と重複する経路部分が含まれ、かつ、登録経路における目的駅への比較経路による到着時刻が一定の範囲にあるか否かにより判別される。比較経路による到着時刻よりも登録経路による到着時刻が遅い場合、登録経路は比較経路による混雑に遭遇する。この関係はイベント会場から帰宅する人々が拡散するに要する時間継続する。
【００７７】
従って、比較経路による到着時刻よりも登録経路による到着時刻が遅く、その時間の差が前記拡散に要する時間の範囲内である場合には登録経路を利用すると比較経路による混雑に遭遇する、すなわち、イベントによる混雑の影響を受ける可能性が高く、一致度が高いと判別する。この結果、登録経路が混雑することを表示手段２８に表示して利用者に報知する。報知方法は表示によらず音声出力、その他の方法であってもよい。
【００７８】
経路探索サーバ３０において、制御手段３０１は、図示してはいないがＲＡＭ、ＲＯＭ、プロセッサを有するマイクロプロセッサであり、ＲＯＭに格納された制御プログラムにより各部の動作を制御する。通信手段３１はネットワーク１２を介して端末装置２０などと通信データを送受信するための通信インターフェースである。
【００７９】
経路探索サーバ３０は、前述したように、地図データベース３４、経路探索用ネットワークデータベース３５、イベントデータベース３６を備えている。端末装置２０から通常の経路探索要求があると、経路探索手段３３は、経路探索用ネットワークデータベース３５を参照し、道路ネットワークデータ、交通ネットワークデータに基づいて最適経路を探索して案内経路データを端末装置２０に送信する。その際、経路探索索サーバ３０は地図データベース３４から所要の地図データを読み出して案内経路データとともに端末装置２０に送信する。
【００８０】
また、端末装置２０から所望のＰＯＩや地点を指定して地図データの送信要求があった場合、経路探索サーバ３０は地図データベース３４から所要の地図データを読み出して案内経路データとともに端末装置２０に送信する。
【００８１】
本発明において、端末装置２０から前述した比較経路探索の要求があると、経路探索手段３３は、イベントデータベース３６を参照して登録経路周辺のイベントを抽出し、該イベントの詳細情報に基づいてイベント終了時に帰宅するイベント参加者による比較経路を探索し、端末装置２０に送信する。
【００８２】
ここで、イベントデータベース３６に蓄積されるイベントの詳細情報、開催時期情報について述べる。イベントの開催場所はスタジアムの場所やイベント会場の場所、例えば、野球やサッカーの開催されるスタジアムや花火大会の開催場所として事前に位置情報を特定することができる。これらの位置情報は各種の情報配信サーバ５０、５１（図１参照）などを通じて収集することができる。イベントの開催時期（日時）も同様である。
【００８３】
一方、イベント開催時におけるイベント終了時刻には、終了時刻が決まっているもの
と終了時刻が不定なものがある。前者は、例えば大相撲興行やサッカーの試合（延長なし）がある。この場合は、事前にイベントの会場位置、開催日、終了時刻データの登録が可能である。後者は、プロ野球が代表例であり、事前にイベントの会場位置、開催日、は決まっているが、終了時刻が定まらない。
【００８４】
しかし、プロ野球では１イニング平均２０分程度という統計データがあり、試合が始まってからの残りイニング数で終了時刻を予想することが出来る。インターネット上に試合経過が流れているので、経路探索サーバ３０が対象となる試合を監視し、終了時刻を事前に推定することが出来る。あるいは、試合が終了した時点で、終了時刻の確定データを入手することも可能である。従って、大規模イベントの終了時刻は、予め決まっているものはその時刻を、また決まっていない場合は暫定予想時刻で始めて、予想時刻を更新していくようにすれば確度の高い情報になる。
【００８５】
図３は、端末装置２０において登録経路を設定するための入力画面の例を示す図である。
利用者の登録経路には大別して次の２種類が想定される。第１は、利用者がナビゲーションシステム１０に登録した経路である。第２はナビゲーションシステム１０が、端末装置２０により随時要求した所望の２地点間の経路を探索して得られた経路である。
【００８６】
前者は、例えば、定期券で乗車する通勤経路が該当する。通勤経路は固定であり、勤務時間が決まっている利用者は、出発地の出発時間、すなわち登録経路の時刻も固定化できる。一方、後者は、その都度経路探索を行った場合の案内経路であって、経路探索条件に従って出発時刻なども決まる。いずれの場合も、利用者の登録した経路について、その経路における利用時刻（出発時刻等）が決まっていれば、イベント終了後にイベント会場から移動してくる人々に遭遇するか（混雑に遭遇するか）を調べることが出来る。
【００８７】
登録経路は、図３の入力画面を用いて出発地（あるいは出発駅）、目的地（あるいは目的駅）、経由駅、出発時刻などの経路探索条件を設定して経路探索サーバ３０に経路探索要求し、経路探索サーバ３０から検索結果として送信される案内経路データを登録経路として登録経路記憶手段２４に記憶する。過去に経路探索サーバ３０から受信した案内経路データが保存してある場合には、図示していないメニュー画面を用いて保存してある案内経路データから所望の案内経路データを選択して登録経路として登録経路記憶手段２４に記憶することもできる。
【００８８】
登録経路の設定画面３０１は、図３に示すように、出発地入力欄３０２、目的地入力欄３０３、経由駅入力欄３０４、出発時刻入力欄３０５、経路確認ボタン３０６、通知（報知）方法選択欄３０７、通知先入力欄３０８、対象イベント会場入力欄３０９から構成されている。これらの入力はテキストを用いて直接入力してもよく、各入力欄に設けたプルダウンボタンを操作して保存してあるデータを呼び出して選択するようにしてもよい。また、出発時刻入力欄３０５の代わりに目的地への到着時刻を指定する到着時刻入力欄を追加してもよい。
【００８９】
経路確認ボタン３０６を操作すると経路探索サーバ３０から送信された案内経路を表示手段２８に表示することができる。報知内容の通知先（電子メールの送信先アドレス等）を指定する場合には通知先入力欄３０８を用いて指定する。登録経路に対する対象イベント会場が予め判明している場合は、対象イベント会場入力欄３０９を用いて指定することもできる。イベント会場は経路探索サーバ３０のイベントデータベース３６に登録されているので、メニューで選ばせることが可能である。
【００９０】
この場合、対象イベント会場入力欄３０９はプルダウンメニュー形式になっており、特に対象とするイベント会場を絞り込みたい場合、プルダウンメニューから選択することができる。なお、本実施例において、登録経路記憶手段２４は端末装置２０に備えた例を示しているが、経路探索サーバ３０に端末装置２０の利用者対応の登録領域を設けることもできる。最後に登録ボタン（図示されていない）を押して、登録経路を記憶する。登録経路を経路探索サーバ３０に記憶する場合には端末装置２０を利用している利用者のユーザＩＤを付して送信し、経路を登録する。
【００９１】
通知（報知）方法選択欄３０７には比較経路を受信した後の通知方法を選択する「通知のみ」、「回避時間帯通知」、「回避経路も通知」の何れかを選択するチェックボタンが表示される。「通知のみ」を選択した場合、経路比較手段２３は、登録経路と比較経路との経路比較を行い、登録経路に影響があるかないかを判別して影響があると判別した場合、その旨を表示する。
【００９２】
「回避時間帯通知」を選択した場合、経路比較手段２３は、登録経路と比較経路との経路比較を行い、登録経路に影響があるかないかを判別して影響あると判別した場合、比較経路による登録経路への影響を回避できる登録経路の時間帯、すなわち、登録経路において比較経路による混雑の影響を受けずにすむ登録経路の出発駅の出発時間帯を表示する。
【００９３】
「回避経路も通知」を選択した場合、経路比較手段２３は、登録経路と比較経路との経路比較を行い、登録経路に影響があるかないかを判別して影響あると判別した場合、比較経路による登録経路への影響を回避できる代替経路の探索を経路探索サーバ３０に要求し、経路探索サーバ３０は代替経路を探索し、代替経路が得られれば端末装置２０に送信し、端末装置２０は、経路探索サーバ３０から受信した代替経路を表示手段２８に表示する。経路探索サーバ３０において代替経路が探索されなかった場合には、代替経路がない旨表示し、「通知のみ」あるいは「回避時間帯通知」の何れかと同様の報知を行う。
【００９４】
図４は、「通知のみ」を選択した場合に表示手段２８に表示される通知画面（報知画面）の表示画面の一例を示す図である。この表示画面４０１には、比較経路探索がオン（ＯＮ）であることを示す状態表示領域４０２と、報知内容（通知内容）を表示する報知表示領域４０３がある。報知表示領域４０３には、例えば、登録経路が通勤経路である場合、帰宅電車に混雑が予想される旨表示され、具体的に年月日、混雑の予想される駅名や影響を与えるイベント会場名などを報知する。
【００９５】
図５は、「回避時間帯通知」を選択した場合に表示手段２８に表示される通知画面（報知画面）の表示画面の一例を示す図である。この表示画面５０１には、比較経路探索がオン（ＯＮ）であることを示す状態表示領域５０２と、報知内容（通知内容）を表示する報知表示領域５０３がある。報知表示領域５０３には、例えば、登録経路が通勤経路である場合、帰宅電車に混雑が予想される旨表示され、具体的に年月日、混雑の予想される駅名や影響を与えるイベント会場名などを報知されるとともに、混雑を回避するために登録経路における出発駅の出発時間帯を表示する。図５の例では、ｘｘ：ｙｙよりも早く、あるいは、ｘｘ：ｙｙよりも遅く出発することを推奨するメッセージが表示されている。回避経路を探索した場合に、回避経路の表示が要求された場合には通常の経路表示や地図表示と同様の方法で回避経路を表示する。
【００９６】
次に、登録経路に対する比較経路の探索と両経路の経路比較およびその判断の概念について説明する。この説明の前に一般的な経路探索の概念について説明する。経路探索サーバ３０は経路探索用ネットワークデータベース３５を備え、経路探索用ネットワークデータベース３５は、先に説明したように道路ネットワークデータ、交通ネットワークデータを含んでおり、徒歩、自動車の経路は道路ネットワークデータを、交通機関を利用する経路は交通ネットワークデータを参照して経路を探索する。
【００９７】
道路ネットワークデータは、以下のように構成されている。例えば、道路が図６に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
【００９８】
すなわち、図６において、Ｎｎ（○印）、Ｎｍ（◎印）がノードを示し、Ｎｍ（◎印）は道路の交差点を示している。各ノード間を結ぶ有向性のリンクを矢印線（実線、点線、２点鎖線）で示している。リンクは、道路の上り、下りそれぞれの方向を向いたリンクが存在するが、図６では図示を簡略化するため矢印の向きのリンクのみを図示している。
【００９９】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図６において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【０１００】
図６ではノードＡＸからノードＣＹに至る他の経路は図示されていないが、実際にはそのような経路が他にも存在するため、ノードＡＸからノードＣＹに至ることが可能な複数の経路を同様にして探索し、それらの経路のうちリンクコストが最少になる経路を最適経路として決定するものである。この手法は、例えば、ダイクストラ法と呼ばれる周知の手法によって行われる。
【０１０１】
これに対して、交通機関の経路探索のための交通ネットワークデータは以下のように構成されている。例えば、図７に示すように交通路線Ａ、Ｂ、Ｃからなる場合、各交通路線Ａ、Ｂ、Ｃに設けられた各駅（航空機の路線においては各空港）をノードとし、各ノード間を結ぶ区間を有向性のリンクで表し、ノードデータ（緯度・経度）、リンクデータ（リンク番号）をネットワークデータとしている。図７において、Ｎｎ（○印）、Ｎｍ（◎印）がノードを示し、Ｎｍ（◎印）は交通路線の乗り継ぎ点（乗換え駅など）を示し、各ノード間を結ぶ有向性のリンクを矢印線（実線、点線、２点鎖線）で示している。リンクは、交通路線の上り、下りそれぞれの方向を向いたリンクが存在するが、図７では図示を簡略化するため矢印の向きのリンクのみを図示している。
【０１０２】
しかしながら、交通ネットワークは道路ネットワークと比べリンクコストが基本的に異なる。すなわち、道路ネットワークではリンクコストは固定的、静的なものであったが、交通ネットワークでは、図７に示すように交通路線を運行する列車や航空機（以下個々の列車や航空機などの各経路を交通手段と称する）が複数ある。各交通手段毎にあるノードを出発する時刻と次のノードに到着する時刻とが定まっており（時刻表データ、運行データで規定される）、かつ、個々の経路が必ずしも隣接するノードにリンクしない場合がある。例えば、急行と各駅停車の列車のような場合である。このような場合には同じ交通路線上に異なる複数のリンクが存在することになり、またノード間の所要時間が交通手段により異なる場合もある。
【０１０３】
図７に例示する交通ネットワークにおいては、交通路線Ａの同じリンクに複数の交通手段（経路）Ａａ〜Ａｃ・・・、交通路線Ｃに複数の交通手段（経路）Ｃａ〜Ｃｃ・・・が存在することになる。従って、交通機関の運行ネットワークは、単純な道路ネットワークと異なり、ノード、リンク、リンクコストの各データは交通手段（個々の航空機や列車などの経路）の総数に比例したデータ量になる。このため交通ネットワークのデータは道路ネットワークのデータ量に比べて膨大なデータ量になる。従って、それに応じて、経路探索に要する時間も多くの時間が必要になる。
【０１０４】
このような交通ネットワークデータを用いて、ある出発地からある目的地までの経路を探索するためには、出発地から目的地まで到達する際に使用（乗車）できる全ての交通手段を探索して探索条件に合致する交通手段を特定する必要がある。
【０１０５】
例えば、図７において、出発地を交通路線ＡのノードＡＸとしてある特定の出発時刻を指定して、交通路線ＣのノードＣＹを目的地とする経路探索を行う場合、交通路線Ａ上を運行する交通手段Ａａ〜Ａｃ・・・のうち出発時刻以降の全ての交通手段を順次出発時の経路として選択する。そして交通路線Ｃへの乗り継ぎノードへの到着時刻に基づいて、交通路線Ｃ上を運行する各交通手段Ｃａ〜Ｃｃ・・・のうち、乗り継ぎノードにおいて乗車可能な時刻以降の交通手段の全ての組み合わせを探索して各経路の所要時間や乗り換え回数などを累計して案内することになる。
【０１０６】
このようなネットワークデータを利用して経路探索サーバ３０は経路探索条件に従って、出発地から目的地までの最適経路を探索し、その結果を案内経路データとして端末装置２０に送信する。経路探索条件に出発地の出発時刻が指定されている場合には目的地への到着時刻が、また、目的地への到着時刻が指定されている場合には、目的地に指定時刻に到着するための出発地の出発時刻が案内経路データに含まれ、端末装置２０はこれらを表示手段に経路の詳細とともに表示することができる。案内経路に乗換え駅が含まれる場合には当該乗換え駅で乗り換えるべき電車やその出発時刻も同様にして表示することができる。
【０１０７】
登録経路はこのようなネットワークデータを参照して、図３に示す入力画面で設定された条件に基づいて経路探索サーバ３０において探索される。端末装置２０は、経路探索サーバ３０が探索した案内経路データを受信して登録経路として登録経路記憶手段２４に記憶する。比較経路探索要求手段２２が登録経路に基づいた比較経路探索要求を経路探索サーバ３０に送信すると、経路探索サーバ３０はイベントデータベース３６を参照して登録経路の周辺のイベントを抽出し比較経路を探索して端末装置２０に送信する。
【０１０８】
このような登録経路を用いて勤務先から自宅まで帰宅する際、周辺にあるイベント会場で開催されていたイベントの終了時刻が重なると、該イベント会場を出て帰宅するイベント参加者が利用可能な交通機関の経路が登録経路と重複する場合、イベント参加者による混雑に遭遇することになる。そこで、端末装置２０は経路探索サーバ３０に比較経路の探索を要求する。
【０１０９】
経路探索サーバ３０における比較経路の探索は以下の手順によって行う。先ず、経路探索サーバ３０は、イベントデータベース３６を参照して、登録経路の周辺地域で開催されるイベントを抽出する。遠くのイベント会場で開催されるイベントは、イベントに参加した人々の移動は時間とともに拡散するので影響が小さくなるので、イベント会場からの経路における駅数、路線時間、距離などで比較経路と登録経路との一致度を判断する基準を設定する。なお、登録経路に対して比較経路を探索する対象にするイベント会場が利用者の経験から既知である場合には、対象イベント会場入力欄３０９（図３参照）を用いて直接指定できる。経路探索サーバ３０は指定されたイベント会場におけるイベントの開催有無と終了時刻を抽出すればよい。
【０１１０】
次に経路探索サーバ３０は、イベントデータベース３６から抽出したイベント会場を出発地、登録経路の目的駅を目的地とし、イベント終了時刻を出発時刻として、目的地（目的駅）までの最適経路を比較経路として探索する。イベントの終了時刻が未定なものは先に説明した方法でその終了時刻を予測する。最適経路の他に候補経路を含めた複数の比較経路を探索してもよい。このとき、有料特急利用などは除外し、群集の一般的な利用交通手段に限定して探索を行う。そして経路探索サーバ３０は、探索した比較経路のデータを端末装置２０に送信する。なお、イベント会場から出発駅まで徒歩となる場合は、当然徒歩時間も含んだ経路探索となる。徒歩時間は混雑を考慮して標準の歩行速度に所定の比率を加味した遅い歩行速度を設定して探索するとよい。
【０１１１】
次いで、端末装置２０が経路探索サーバ３０から比較経路を受信すると、経路比較手段２３により比較経路と登録経路を比較して両経路の一致度を判別する。すなわち、経路比較手段２３は、比較経路（イベント終了時にイベント会場から移動する人々の経路）による目的駅（登録経路として設定された目的駅）の到着時刻と、登録経路の目的駅の到着時刻を比較し、登録経路の目的駅への到着時刻が比較経路による到着時刻より所定の時間以内遅く、かつ両経路に重複する経路部分がある場合には、登録経路に従って乗車する電車が比較経路により移動する人々と重なり、混雑に遭遇する旨の通知を表示する。なお、本実施例においては経路比較手段２３を端末装置２０に設けた例を説明しているが、登録経路を経路探索サーバ３０に記憶する場合、経路比較も経路探索サーバ３０が行い、結果のみを端末装置２０に送信する構成とすることもできる。
【０１１２】
この手順の概念を、図８に示す具体例を用いて説明する。図８は、登録経路と比較経路の探索および両経路の経路比較の一例を説明するための概念図である。図８において、登録経路は、例えば、端末装置２０の利用者が日常的に利用する通勤経路８１（図中、点線の経路）であり、勤務先の最寄り駅８２を出発して自宅の最寄り駅８３に至る経路である。途中乗り継ぎ駅８４で路線Ａから路線Ｃに乗り換える。この例では最寄り駅８２と勤務先、最寄り駅と自宅の間はそれぞれ徒歩経路が存在するが、以下の説明では、理解を容易にするため、徒歩区間は「０」として説明する。
【０１１３】
路線Ａの周辺にはイベント会場、例えば、野球場ＳＴ．Ａが、路線Ｂの周辺にはサッカー場ＳＴ．Ｂが、路線Ｃの周辺には同様にイベント会場ＳＴ．Ｃが存在している。各イベント会場ＳＴ．Ａ〜ＳＴ．Ｃの位置情報、イベントの開催日時に関する詳細情報はイベントデータベース３６に蓄積されており、比較経路の探索において、経路探索サーバ３０は登録経路に基づいて、その周辺のイベントを抽出する。
【０１１４】
このような登録経路８１を用いて勤務先から自宅まで帰宅する際、イベント会場ＳＴ．Ａで開催されていたイベントの終了時刻が重なると、イベント会場ＳＴ．Ａを出て帰宅するイベント参加者が利用可能な交通機関の経路として路線Ａが存在するので、登録経路８１で最寄り駅から乗車すると、イベント参加者による混雑に遭遇することになる。そこで、端末装置２０は経路探索サーバ３０に比較経路の探索を要求する。
【０１１５】
経路探索サーバ３０は登録経路に基づいてイベントデータベース３６からイベント会場ＳＴ．Ａを抽出し、抽出したイベント会場におけるイベントの終了時刻を出発時刻とし、登録経路の目的駅を目的地としてイベント参加者が利用し得る交通機関を利用した最適経路を探索して比較経路８５とする。登録経路８１には時刻条件（例えば、勤務先を退社する時刻）があり、比較経路８５はイベントの終了時刻が出発時刻であるから、比較経路に存在する各駅の到着時刻は経路データとして既知であり、比較経路のデータに含まれて端末装置２０に送信される。
【０１１６】
端末装置２０は、経路探索サーバ３０から比較経路のデータを受信すると、経路比較手段２３において登録経路８１と比較経路８５との比較を行い両経路の一致度を判別する。一致度の判別は両経路に重複した経路部分があるか否かと、登録経路の目的駅８３への両経路の到着時刻により行う。両経路に重複する経路部分がなければ、登録経路が比較経路による混雑の影響を受けることがないことになる。例えば、図８におけるイベント会場ＳＴ．Ｃでイベント開催があったとしても、イベント会場ＳＴ．Ｃから目的駅８３の比較経路は登録経路８１と重複しないから、該イベント会場ＳＴ．Ｃからの人々の移動の影響を受けることはないので報知の対象としない。
【０１１７】
また、登録経路において目的駅８３に到着する時刻が、比較経路においてその駅に到着する時刻より早い時刻であれば比較経路による混雑の影響が出る前に目的駅に到着して帰宅できるので影響を受けることがないことになる。例えば、図８におけるイベント会場ＳＴ．Ｂでイベント開催があり、イベント会場ＳＴ．Ｂから目的駅８３への比較経路が登録経路８１と重複しても、イベント終了時刻を出発時刻とする比較経路における目的駅への到着時刻前に登録経路８１が目的駅に到着していれば、該イベント会場ＳＴ．Ｃからの人々の移動の影響を受けることはないので報知の対象としない。
【０１１８】
逆に、登録経路８１と比較経路８５に重複する経路部分があり、かつ、登録経路による目的駅到着が比較経路による目的駅到着時刻より遅い場合には、比較経路による混雑の影響を受けることになる。ただし、混雑の影響は一定の時間が経過すれば度合いが薄れる。なぜならば、イベント参加者がイベント会場を出発してそれぞれの目的地に向かう場合、人数や経路は時間とともに拡散し、その影響も時間とともに薄れて行くからである。
【０１１９】
例えば、イベントの終了から３０分程度経過すれば、イベント会場を出発する人の数は終了直後に比べて格段に少なくなる。従って、経路比較手段２３は両経路の目的駅への到着時刻を比較し、登録経路による目的駅到着が比較経路による目的駅到着時刻より遅く、その差が例えば３０分以内である場合には両経路の一致度が高く、登録経路が比較経路による混雑の影響を受けるものと判断し、報知の対象とする。到着時刻の差が３０分以上ある場合には経路比較手段２３は両経路の一致度が低いと判断し、比較経路による混雑の影響が小さいので、報知の対象としない。
【０１２０】
報知の方法は上記実施例においては端末装置２０の表示手段２８に表示する例を説明したが、通知先として端末装置２０の利用者の電子メールアドレスなどを指定しておき、電子メールで報知することもできる。この場合、経路比較を経路探索サーバ３０で行い、経路探索サーバ３０から指定された通知先に電子メールを送信する構成を採ることが好ましい。電子メールのメッセージは図４や図５に示すようなメッセージである。
【０１２１】
このようにすれば、利用者は、どんなイベントからの群集に遭遇するかもわかって、「野球やサッカーの応援団と遭遇するのは嫌だから、駅でしばらく時間を潰して帰ろう」などの計画が立てられる。なお、任意の経路探索を行って得た案内経路を登録経路として一時記憶し、経路探索サーバ３０が前述の処理を行って同様の情報を経路探索時に報知しても良い。また、出発時刻まで時間がある場合は、登録経路を経路探索サーバ３０が報知すべき時間まで保存しておいて、後で再チェックして報知するように構成してもよい。
【実施例２】
【０１２２】
以上説明した実施例１においては、イベント参加者による混雑の影響を受ける場合に、その旨を報知する例を説明したが、経路比較手段２３が登録経路と比較経路をもとに回避できる時間帯を算出して報知するように構成することができる。これにより、端末装置２０の利用者は、混雑を回避できる時間帯まで時間調整をすることもできる。本実施例２のナビゲーションシステム１０の構成は図２に示す構成と同様の構成でよい。
【０１２３】
この手順を、図９に示す具体例を参照して説明する。経路比較手段２３は、先の実施例１において説明したように登録経路と比較経路の一致度を判別し、一致度が高く、比較経路による混雑に遭遇する場合、先ず、イベント会場ＳＴ．Ａからの目的駅（登録経路の下車駅）への最適経路（比較経路）の目的駅到着時刻あるいはそれより５分か１０分あるいは電車１、２本分早い時刻を下車駅への到着時刻に指定して、登録経路の時刻表探索を行う。求めた出発駅の出発時間帯は、比較経路により移動する人々より早く目的駅に到着することができる出発時間帯である。なお、その出発時刻が現在時刻より早ければ（既に経過してしまった過去の時間帯であれば）、通知は行わない。
【０１２４】
このようにして算出した時間帯は、比較経路より早く登録経路の目的駅に到着できる混雑回避時間帯であるが、逆に、比較経路より遅く、かつ、混雑が緩和してから登録経路の目的駅に到着する混雑回避時間帯を求めることもできる。すなわち、イベント会場ＳＴ．Ａからの目的駅（登録経路の下車駅）への最適経路（比較経路）の目的駅到着時刻より３０分以上あるいはさらに電車１、２本分遅い時刻を下車駅への到着時刻に指定して登録経路の時刻表探索を行う。
【０１２５】
求めた出発駅の出発時間帯は、比較経路により移動する人々より３０分以上遅く、イベント参加者が十分拡散し混雑の影響が少なくなってから下車駅に到着できる出発時間帯である。なお、その出発時間帯が終電より後になる場合には、登録経路で移動できないので通知しない。
ナビゲーションシステム１０をこのように構成すれば、利用者は登録経路を変更することなく、混雑を回避するための時間調整するための情報を通知（提供）することができるようになる。
【実施例３】
【０１２６】
実施例２は、混雑を回避できる登録経路の出発時間帯を通知する例であったが、混雑を回避できる代替経路を経路探索サーバ３０により探索して通知することもできる。この実施例３のナビゲーションシステム１０の構成は、図２に示すナビゲーションシステム１０の構成と同様の構成でよい。このような通知は、通勤経路のような日常的に利用する経路を登録経路とする場合に比べて、所望の出発地を予定した時間に出発して所望の目的地に向かう際に、イベント参加者による混雑を回避できる代替経路により目的地に移動することができ好適である。
【０１２７】
この手順を、図１０に示す具体例を参照して説明する。図１０において、イベント会場ＳＴ．Ａで開催されるイベント終了時刻に基づいて、このイベント会場を出発する人々による混雑を回避するための代替経路を探索する例を説明する。ここでは先ず、比較経路と登録経路の経路比較は実施例１と同様にして行い、経路比較手段２３により一致度が高いと判別し、比較経路による混雑に遭遇することが判明したものとする。
【０１２８】
経路探索手段３３は、代替経路を探索する場合、イベントデータベース３６を参照して抽出したイベント会場ＳＴ．Ａをイベントの終了時刻に出発し、イベント会場の周辺の駅で乗車可能な全ての方向の電車Ｔ１〜Ｔ４を抽出する。
次いで、抽出した電車、およびその所定時間または所定本数後の後続電車も抽出する。
更に、抽出した全ての電車のイベント会場の周辺の駅から所定の範囲（時間、駅数）で乗り継ぎ可能な電車Ｔ５〜Ｔ８、Ｔ９〜Ｔ１２を抽出する。
【０１２９】
次に、経路探索手段３３は、交通ネットワークデータを一時的に編集し、以上説明した全ての抽出電車Ｔ１〜Ｔ１２について、交通ネットワークデータを一時的に編集し、イベント会場の周辺の駅から所定の範囲（時間、駅数）の運行データを削除するか、あるいは乗車できないことを示す属性を与えて、これらの抽出データを交通ネットワークデータから実質的に削除する。次いで、経路探索手段３３は、上記のようにして実質的に抽出電車を削除した交通ネットワークデータを用いて、経路探索を行うと、イベント終了により移動する人々が利用可能な電車を除いた代替経路が探索されるから、利用者がこの代替経路で移動すれば、混雑に遭遇せずに目的地に向かうことができるようになる。
【０１３０】
イベント会場ＳＴ．Ａの周辺の駅から所定の範囲とは、乗車時間で２０分程度とか、駅数で１０駅などの範囲で、人々が拡散して密度が低下すると考えられる範囲である。この範囲で、該当する電車Ｔ１〜Ｔ１２に乗車できないことにして経路を探索し、混雑に遭遇しない代替経路を探索すればよい。なお、上記のような拡散を考慮せずに該当電車を単純に削除してしまうと、イベント会場から遠くて影響が無い部分まで削除することになるので、好ましくない。
【実施例４】
【０１３１】
以上の実施例は、ナビゲーションシステム１０においては、イベント会場をイベント終了時刻に出発する人々が最適経路を利用するものとして比較経路を探索する場合を説明したが、人々は必ずしも最短経路で移動するとは限らず、混雑する最寄り駅を避けて徒歩距離が遠い駅を出発駅として選択する人も居る。このため他の思わぬ経路で混雑に遭遇することもありうる。なお、人々で混雑するのは電車の中だけではない。駅の構内が混雑する場合もある。この場合は、人々の移動方向（経路の方向）に関係なく、乗車駅、乗換駅、下車駅で混雑に遭遇することがある。これを嫌う場合は、以下に説明する到達圏探索を行って混雑に関する通知をするとよい。
【０１３２】
先ず、経路探索サーバ３０は端末装置２０から比較経路の探索要求があると、経路探索手段３３は、登録経路に基づいてイベントデータベース３６を参照して登録経路から所定の時間的・位置的範囲内のイベントのみを対象として抽出する。そして、抽出したイベントの終了時刻を出発時刻として到達圏探索を行う。この発明において「到達圏探索」とは、特定の出発地を特定の時刻を出発時刻に出発して移動可能な経路を移動した場合に、出発時刻から、ある時間経過後に到達できる各経路の経路範囲を探索することをいう。経路探索手段３３はこのような条件で、例えば５分後の到達圏（５分圏）、１０分後の到達圏（１０分圏）・・・・３５分後の到達圏（３５分圏）を探索して比較経路のデータとして端末装置２０に送信する。
【０１３３】
端末装置２０は経路探索サーバ３０から前述のような到達圏を含む比較経路のデータを受信すると、経路比較手段２３は登録経路における各駅の到着時刻と、比較経路の到達圏に含まれる時刻とから両経路の一致度を判別する。この判別を行う登録経路の駅は、乗車駅、乗換駅、降車駅などに制限してもよい。これらの駅では乗車、乗り換え、下車などで駅構内を移動する際の混雑が問題になるからである。
【０１３４】
経路比較手段２３における両経路の一致度の判別は、次のように行う。すなわち、登録経路の乗車駅、乗換駅、降車駅などへの各到着時刻が、それぞれの駅が比較経路の到達圏に含まれてから所定の時間以内の場合は、一致度が高いと判断し、比較経路により移動する人々による混雑の影響ある旨を表示手段２８に報知（通知）する。
【０１３５】
例えば、登録経路の目的駅（下車駅）には比較経路による到着時刻が十分に早く到着する場合、前述した実施例１の経路比較の判別では、一致度が低いと判別され、この下車駅では比較経路による混雑の影響が無いと判断される。しかしながら、比較経路により移動する人々による混雑に登録経路の乗車駅で遭遇してしまうような場合である。このようなケースでは乗車駅構内の階段が狭い場合もあり、事前に混雑に遭遇することが通知されれば、いつもより少し早く駅に行くなどの対応をすることができるようになる。
【０１３６】
上記のような到達圏探索を行い、抽出したイベントについて該イベントの終了時刻を出発時刻とし５分圏、１０分圏・・・・３５分圏と、人々が十分拡散する範囲まで行い比較経路データとともに端末装置２０に送信する。経路比較手段２３は、登録経路に各駅について各到達圏に含まれた駅のうち、乗車駅、乗換駅、下車駅に該当し、かつ、比較経路による到達時刻が所定の時間だけ登録経路における各駅の到着時間より早い場合は混雑の影響有り（一致度が高い）と判別して、通知する。この場合は、「帰宅経路は、○○駅、△△駅でスタジアムＢからの帰りの混雑が予想されます」と通知する。
【０１３７】
なお、上記の各実施例において、登録経路の記憶、登録経路と比較経路の経路比較は端末装置２０において行う構成を説明したが、これらを経路探索サーバ３０において端末装置２０ごと（利用者ごと）に処理するように構成することもできる。
【産業上の利用可能性】
【０１３８】
本発明は、携帯電話を端末装置として使用するシステムであってもよく、また、パーソナルコンピュータ（ＰＣ）などの端末装置を用い、ＷＥＢサイトからのサービスとして提供するシステムとして構成することもできる。前者のように端末装置として携帯電話を用いる場合には、リアルタイムな状況変化に応じて通知が可能であり、後者の場合は、事前にわかっているイベント中心に情報を得ることができる。両者を組み合わせて、事前にＰＣを用いて混雑の影響をチェックして、移動中は携帯電話で情報を得るという連携が可能なシステムとすることもできる。
【図面の簡単な説明】
【０１３９】
【図１】本発明の実施例にかかるナビゲーションシステムの構成を示すシステム構成図である。
【図２】本発明の実施例にかかるナビゲーションシステムの構成を示すブロック図である。
【図３】端末装置において登録経路を設定するための入力画面の一例を示す図である。
【図４】端末装置において、比較経路の影響を報知する際の報知画面の一例を示す図である。
【図５】端末装置において、比較経路の影響を回避できる時間帯を報知する際の報知画面の一例を示す図である。
【図６】経路探索のための道路ネットワークデータの概念を説明するための模式図である。
【図７】交通機関を利用した経路探索のための交通ネットワークデータの概念を説明するための模式図である。
【図８】登録経路と比較経路の探索および両経路の経路比較の一例を説明するための概念図である。
【図９】登録経路と比較経路の探索および両経路の経路比較の他の例を説明するための概念図である。
【図１０】代替経路の探索の手順の概念を説明するための概念図である。
【符号の説明】
【０１４０】
１０・・・・ナビゲーションシステム
１２・・・・ネットワーク
２０・・・・端末装置
２０１・・・制御手段
２１・・・・ＧＰＳ受信手段
２２・・・・比較経路要求手段
２３・・・・経路比較手段
２４・・・・登録経路記憶手段
２５・・・・描画制御手段
２６・・・・通信手段
２７・・・・案内経路記憶手段
２８・・・・表示手段
２９・・・・操作入力手段
３０・・・・経路探索サーバ
３０１・・・制御手段
３２・・・・比較経路配信手段
３３・・・・経路探索手段
３４・・・・地図データベース
３５・・・・経路探索用ネットワークデータベース
３６・・・・イベントデータベース
【図１】
2008102046.tif 000003
【図２】
2008102046.tif 000004
【図３】
2008102046.tif 000005
【図４】
2008102046.tif 000006
【図５】
2008102046.tif 000007
【図６】
2008102046.tif 000008
【図７】
2008102046.tif 000009
【図８】
2008102046.tif 000010
【図９】
2008102046.tif 000011
【図１０】
2008102046.tif 000012
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
経路探索用のネットワークデータを参照して出発地から目的地まで、交通機関を利用した経路を含む案内経路を探索する経路探索手段と、前記経路探索手段が探索した案内経路データを記憶する案内経路記憶手段と、前記案内経路を表示する表示手段と、を備えたナビゲーションシステムにおいて、
前記ナビゲーションシステムは、イベントの開催場所および開催時間を含むイベント情報を蓄積したイベントデータベースと、所望の出発地から目的地までの経路を予め探索して得た時刻情報を含む案内経路データを登録経路として記憶する登録経路記憶手段と、経路比較手段と、を備え、
前記経路探索手段は、比較経路の探索が要求されると、前記登録経路記憶手段に記憶された登録経路に基づいて前記イベントデータベースを参照して該登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索し、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、一致度が高いと判別し、前記登録経路が混雑する旨を予め設定された報知先に報知することを特徴とするナビゲーションシステム。
【請求項２】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項１に記載のナビゲーションシステム。
【請求項３】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする請求項１に記載のナビゲーションシステム。
【請求項４】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする請求項１に記載のナビゲーションシステム。
【請求項５】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項２に記載のナビゲーションシステム。
【請求項６】
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする請求項１に記載のナビゲーションシステム。
【請求項７】
前記経路探索手段は、前記代替経路を探索する際、前記登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索するに際して、該イベントの終了時刻にイベント参加者がイベント会場を出発して最寄り駅で乗車可能な電車を抽出し、該電車を前記経路探索用ネットワークデータベースから一時削除して、前記代替経路探索を行うことを特徴とする請求項３に記載のナビゲーションシステム。
【請求項８】
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする請求項７に記載のナビゲーションシステム。
【請求項９】
イベントの開催場所および開催時間を含むイベント情報を蓄積したイベントデータベースと、経路探索用のネットワークデータを参照して出発地から目的地まで、交通機関を利用した経路を含む案内経路を探索する経路探索手段を備え、所望の出発地から目的地までの経路を予め探索して得た時刻情報を含む案内経路データを登録経路として記憶する登録経路記憶手段を備えた端末装置から、該登録経路に基づく比較経路の探索が要求されると、前記イベントデータベースを参照して登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索して前記端末装置に送信する経路探索サーバに、ネットワークを介して接続される端末装置であって、
前記端末装置は、経路比較手段を備え、前記経路比較手段は、前記経路探索サーバから受信した比較経路と前記登録経路とを比較して両経路の時刻情報の一致度を判別し、比較経路の目的駅到着時刻より遅い一定の時間内に登録経路の目的駅到着時刻が入る場合、一致度が高いと判別し、登録経路が混雑する旨を報知することを特徴とする端末装置。
【請求項１０】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項９に記載の端末装置。
【請求項１１】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする請求項９に記載の端末装置。
【請求項１２】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする請求項９に記載の端末装置。
【請求項１３】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項１０に記載の端末装置。
【請求項１４】
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする請求項９に記載の端末装置。
【請求項１５】
経路探索用のネットワークデータを参照して出発地から目的地まで、交通機関を利用した経路を含む案内経路を探索する経路探索手段を備え、探索した案内経路データを端末装置に送信する経路探索サーバにおいて、
前記経路探索サーバは、イベントの開催場所および開催時間を含むイベント情報を蓄積したイベントデータベースと、前記端末装置から指定された所望の出発地から目的地までの経路を予め探索して得た時刻情報を含む案内経路データを登録経路として記憶する登録経路記憶手段と、経路比較手段と、を備え、
前記端末装置から該登録経路に基づく比較経路の探索が要求されると、前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索し、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、一致度が高いと判別し、前記登録経路が混雑する旨を前記端末装置が指定した報知先に報知することを特徴とする経路探索サーバ。
【請求項１６】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする請求項１５に記載の経路探索サーバ。
【請求項１７】
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする請求項１５に記載の経路探索サーバ。
【請求項１８】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする請求項１５に記載の経路探索サーバ。
【請求項１９】
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする請求項１６に記載の経路探索サーバ。
【請求項２０】
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする請求項１５に記載の経路探索サーバ。
【請求項２１】
前記経路探索手段は、前記代替経路を探索する際、前記登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索するに際して、該イベントの終了時刻にイベント参加者がイベント会場を出発して最寄り駅で乗車可能な電車を抽出し、該電車を前記経路探索用ネットワークデータベースから一時削除して、前記代替経路探索を行うことを特徴とする請求項１７に記載の経路探索サーバ。
【請求項２２】
前記経路探索用ネットワークデータベースから一時削除する電車は、前記イベントの終了時刻にイベント会場を出発して最寄り駅で乗車可能な最初の電車から、所定の時間範囲内の後続電車、および、所定の時間範囲以内の乗り継ぎ電車であることを特徴とする請求項２１に記載の経路探索サーバ。
【手続補正２】
【補正対象書類名】明細書
【補正対象項目名】００１８
【補正方法】変更
【補正の内容】
【００１８】
前記課題を解決するために、本願の請求項１にかかる発明は、
経路探索用のネットワークデータを参照して出発地から目的地まで、交通機関を利用した経路を含む案内経路を探索する経路探索手段と、前記経路探索手段が探索した案内経路データを記憶する案内経路記憶手段と、前記案内経路を表示する表示手段と、を備えたナビゲーションシステムにおいて、
前記ナビゲーションシステムは、イベントの開催場所および開催時間を含むイベント情報を蓄積したイベントデータベースと、所望の出発地から目的地までの経路を予め探索して得た時刻情報を含む案内経路データを登録経路として記憶する登録経路記憶手段と、経路比較手段と、を備え、
前記経路探索手段は、比較経路の探索が要求されると、前記登録経路記憶手段に記憶された登録経路に基づいて前記イベントデータベースを参照して該登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索し、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、一致度が高いと判別し、前記登録経路が混雑する旨を予め設定された報知先に報知することを特徴とする。
【手続補正３】
【補正対象書類名】明細書
【補正対象項目名】００１９
【補正方法】変更
【補正の内容】
【００１９】
本願の請求項２にかかる発明は、請求項１にかかるナビゲーションシステムにおいて、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【手続補正４】
【補正対象書類名】明細書
【補正対象項目名】００２０
【補正方法】変更
【補正の内容】
【００２０】
本願の請求項３にかかる発明は、請求項１にかかるナビゲーションシステムにおいて、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする。
【手続補正５】
【補正対象書類名】明細書
【補正対象項目名】００２１
【補正方法】変更
【補正の内容】
【００２１】
本願の請求項４にかかる発明は、請求項１にかかるナビゲーションシステムにおいて、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする。
【手続補正６】
【補正対象書類名】明細書
【補正対象項目名】００２２
【補正方法】変更
【補正の内容】
【００２２】
本願の請求項５にかかる発明は、請求項２にかかるナビゲーションシステムにおいて、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【手続補正７】
【補正対象書類名】明細書
【補正対象項目名】００２３
【補正方法】変更
【補正の内容】
【００２３】
本願の請求項６にかかる発明は、請求項１にかかるナビゲーションシステムにおいて、
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする。
【手続補正８】
【補正対象書類名】明細書
【補正対象項目名】００２４
【補正方法】変更
【補正の内容】
【００２４】
本願の請求項７にかかる発明は、請求項３にかかるナビゲーションシステムにおいて、
前記経路探索手段は、前記代替経路を探索する際、前記登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索するに際して、該イベントの終了時刻にイベント参加者がイベント会場を出発して最寄り駅で乗車可能な電車を抽出し、該電車を前記経路探索用ネットワークデータベースから一時削除して、前記代替経路探索を行うことを特徴とする。
【手続補正９】
【補正対象書類名】明細書
【補正対象項目名】００２６
【補正方法】変更
【補正の内容】
【００２６】
また、本願の請求項９にかかる発明は、
イベントの開催場所および開催時間を含むイベント情報を蓄積したイベントデータベースと、経路探索用のネットワークデータを参照して出発地から目的地まで、交通機関を利用した経路を含む案内経路を探索する経路探索手段を備え、所望の出発地から目的地までの経路を予め探索して得た時刻情報を含む案内経路データを登録経路として記憶する登録経路記憶手段を備えた端末装置から、該登録経路に基づく比較経路の探索が要求されると、前記イベントデータベースを参照して登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索して前記端末装置に送信する経路探索サーバに、ネットワークを介して接続される端末装置であって、
前記端末装置は、経路比較手段を備え、前記経路比較手段は、前記経路探索サーバから受信した比較経路と前記登録経路とを比較して両経路の時刻情報の一致度を判別し、比較経路の目的駅到着時刻より遅い一定の時間内に登録経路の目的駅到着時刻が入る場合、一致度が高いと判別し、登録経路が混雑する旨を報知することを特徴とする。
【手続補正１０】
【補正対象書類名】明細書
【補正対象項目名】００２７
【補正方法】変更
【補正の内容】
【００２７】
本願の請求項１０にかかる発明は、請求項９にかかる端末装置において、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【手続補正１１】
【補正対象書類名】明細書
【補正対象項目名】００２８
【補正方法】変更
【補正の内容】
【００２８】
本願の請求項１１にかかる発明は、請求項９にかかる端末装置において、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする。
【手続補正１２】
【補正対象書類名】明細書
【補正対象項目名】００２９
【補正方法】変更
【補正の内容】
【００２９】
本願の請求項１２にかかる発明は、請求項９にかかる端末装置において、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする。
【手続補正１３】
【補正対象書類名】明細書
【補正対象項目名】００３０
【補正方法】変更
【補正の内容】
【００３０】
本願の請求項１３にかかる発明は、請求項１０にかかる端末装置において、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【手続補正１４】
【補正対象書類名】明細書
【補正対象項目名】００３１
【補正方法】変更
【補正の内容】
【００３１】
本願の請求項１４にかかる発明は、請求項９にかかる端末装置において、
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする。
【手続補正１５】
【補正対象書類名】明細書
【補正対象項目名】００３２
【補正方法】変更
【補正の内容】
【００３２】
また、本願の請求項１５にかかる発明は、
経路探索用のネットワークデータを参照して出発地から目的地まで、交通機関を利用した経路を含む案内経路を探索する経路探索手段を備え、探索した案内経路データを端末装置に送信する経路探索サーバにおいて、
前記経路探索サーバは、イベントの開催場所および開催時間を含むイベント情報を蓄積したイベントデータベースと、前記端末装置から指定された所望の出発地から目的地までの経路を予め探索して得た時刻情報を含む案内経路データを登録経路として記憶する登録経路記憶手段と、経路比較手段と、を備え、
前記端末装置から該登録経路に基づく比較経路の探索が要求されると、前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索し、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、一致度が高いと判別し、前記登録経路が混雑する旨を前記端末装置が指定した報知先に報知することを特徴とする。
【手続補正１６】
【補正対象書類名】明細書
【補正対象項目名】００３３
【補正方法】変更
【補正の内容】
【００３３】
本願の請求項１６にかかる発明は、請求項１５にかかる経路探索サーバにおいて、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知することを特徴とする。
【手続補正１７】
【補正対象書類名】明細書
【補正対象項目名】００３４
【補正方法】変更
【補正の内容】
【００３４】
本願の請求項１７にかかる発明は、請求項１５にかかる経路探索サーバにおいて、
前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し、該代替経路を報知することを特徴とする。
【手続補正１８】
【補正対象書類名】明細書
【補正対象項目名】００３５
【補正方法】変更
【補正の内容】
【００３５】
本願の請求項１８にかかる発明は、請求項１５にかかる経路探索サーバにおいて、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知することを特徴とする。
【手続補正１９】
【補正対象書類名】明細書
【補正対象項目名】００３６
【補正方法】変更
【補正の内容】
【００３６】
請求項１９にかかる発明は、請求項１６にかかる経路探索サーバにおいて、
前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知することを特徴とする。
【手続補正２０】
【補正対象書類名】明細書
【補正対象項目名】００３７
【補正方法】変更
【補正の内容】
【００３７】
請求項２０にかかる発明は、請求項１５にかかる経路探索サーバにおいて、
前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、
前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知することを特徴とする。
【手続補正２１】
【補正対象書類名】明細書
【補正対象項目名】００３８
【補正方法】変更
【補正の内容】
【００３８】
請求項２１にかかる発明は、請求項１７にかかる経路探索サーバにおいて、
前記経路探索手段は、前記代替経路を探索する際、前記登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索するに際して、該イベントの終了時刻にイベント参加者がイベント会場を出発して最寄り駅で乗車可能な電車を抽出し、該電車を前記経路探索用ネットワークデータベースから一時削除して、前記代替経路探索を行うことを特徴とする。
【手続補正２２】
【補正対象書類名】明細書
【補正対象項目名】００４０
【補正方法】変更
【補正の内容】
【００４０】
請求項１にかかる発明においては、
ナビゲーションシステムは、イベントの開催場所および開催時間を含むイベント情報を蓄積したイベントデータベースと、所望の出発地から目的地までの経路を予め探索して得た時刻情報を含む案内経路データを登録経路として記憶する登録経路記憶手段と、経路比較手段と、を備え、経路探索手段は、比較経路の探索が要求されると、前記登録経路記憶手段に記憶された登録経路に基づいて前記イベントデータベースを参照して該登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索し、経路比較手段は、前記登録経路と前記比較経路を比較して両経路の時刻情報の一致度を判別し、比較経路の目的駅到着時刻より遅い一定の時間内に登録経路の目的駅到着時刻が入る場合、一致度が高いと判別し、前記登録経路が混雑する旨を予め設定された報知先に報知する。
【手続補正２３】
【補正対象書類名】明細書
【補正対象項目名】００４２
【補正方法】変更
【補正の内容】
【００４２】
請求項２にかかる発明においては、請求項１にかかるナビゲーションシステムにおいて、経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記比較経路を用いて移動するイベント参加者が登録経路における目的駅または乗換駅に到達する時間帯を算出し、該到達時間帯前後の登録経路における混雑回避時間帯を算出して該混雑回避時間帯を報知する。
【手続補正２４】
【補正対象書類名】明細書
【補正対象項目名】００４４
【補正方法】変更
【補正の内容】
【００４４】
請求項３にかかる発明においては、請求項１にかかるナビゲーションシステムにおいて、前記経路比較手段は、前記登録経路と前記比較経路を比較して両経路の時刻情報の一致度を判別し、比較経路の目的駅到着時刻より遅い一定の時間内に登録経路の目的駅到着時刻が入る場合、前記経路探索手段は、前記比較経路を除いて前記登録経路の出発駅から目的駅までの代替経路を探索し報知する。
【手続補正２５】
【補正対象書類名】明細書
【補正対象項目名】００４６
【補正方法】変更
【補正の内容】
【００４６】
請求項４にかかる発明においては、請求項１かかるナビゲーションシステムにおいて、前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記登録経路が混雑する旨を報知する。
【手続補正２６】
【補正対象書類名】明細書
【補正対象項目名】００４８
【補正方法】変更
【補正の内容】
【００４８】
請求項５にかかる発明においては、請求項２かかるナビゲーションシステムにおいて、前記経路比較手段は、前記登録経路と前記比較経路を比較し、両経路に重複する経路部分が含まれるか否かと、前記登録経路における目的駅への両経路の到着時刻を判別し、両経路に重複する経路部分が含まれ、前記登録経路の目的駅への到着時刻が、比較経路の該目的駅への到着時刻より所定の時間範囲内だけ遅い場合、前記比較経路を用いて移動するイベント参加者が登録経路における目的駅または乗り継ぎ駅に到達する時間帯を算出し、該到達時間帯前後の登録経路における混雑回避時間帯を算出して該混雑回避時間帯を報知する。
【手続補正２７】
【補正対象書類名】明細書
【補正対象項目名】００５０
【補正方法】変更
【補正の内容】
【００５０】
請求項６にかかる発明においては、請求項１にかかるナビゲーションシステムにおいて、前記経路探索手段は、前記登録経路記憶手段に記憶された登録経路に基づいて前記イベントデータベースを参照して該登録経路の周辺で開催されるイベントを抽出し、該イベントの開催場所を出発地とし、終了時刻を出発時刻としてイベント参加者が交通機関を利用して所定の時間で移動し得る経路区間を含む比較経路の所定時間経過後の到達圏を探索し、前記経路比較手段は、前記比較経路の到達圏に基づいて、前記登録経路における乗車駅、乗換駅、降車駅が、それぞれ前記比較経路の到達圏に含まれ、かつ、前記登録経路における乗車駅、乗換駅、降車駅への各到着時刻が所定の時間内に含まれる場合は、前記一致度が所定の範囲内であると判別し、前記登録経路が混雑する旨を報知する。
【手続補正２８】
【補正対象書類名】明細書
【補正対象項目名】００５２
【補正方法】変更
【補正の内容】
【００５２】
請求項７にかかる発明においては、請求項３にかかるナビゲーションシステムにおいて、前記経路探索手段は、前記代替経路を探索する際、前記登録経路の周辺で開催されるイベントを抽出し、該イベントの開催場所を出発地とし、終了時刻を出発時刻とし、前記登録経路の目的地を目的地としてイベント参加者が交通機関を利用して移動し得る経路区間を含むとともに時刻情報を含む比較経路を探索するに際して、該イベントの終了時刻にイベント参加者がイベント会場を出発して最寄り駅で乗車可能な電車を抽出し、該電車を前記経路探索用ネットワークデータベースから一時削除して、前記代替経路探索を行う。